(57)【要約】【課題】  沈胴式カメラのレンズ鏡筒に備える移動枠がカバー部材の開口部に対して偏芯した場合でも、防塵性能を満たす撮像装置を提供すること。【解決手段】  光軸方向に沈胴可能なレンズ鏡筒の移動枠と、前記移動枠の外周面を覆う筒状カバー部材と、前記カバー部材の先端を覆うキャップ部材と、前記カバー部材とキャップ部材の間隙に位置するリング部材と、前記リング部材に固着し、前記移動枠と当接する環状の防塵シートと、を具備する撮像装置において、前記リング部材は、前記間隙において光軸の直交面内で可動可能であり、前記リング部材には前記防塵シートを固着するための曲面を有し、前記曲面に前記防塵シートを固着した後に形成される前記防塵シートの曲面が前記移動枠の外周面に接する曲面から形成されていることを特徴とする構成とした。【選択図】  図３
2015022002.tif 000002
【特許請求の範囲】
【請求項１】
光軸方向に沈胴可能なレンズ鏡筒の移動枠（１０４）と、
前記移動枠（１０４）の外周面を覆う筒状カバー部材（１０１）と、
前記カバー部材（１０１）の先端を覆うキャップ部材（１０２）と、
前記カバー部材（１０１）とキャップ部材（１０２）の間隙（Ｌ）に位置するリング部材（２０１）と、
前記リング部材（２０１）に固着し、前記移動枠（１０４）と当接する環状の防塵シート（２０２）と、を具備する撮像装置において、
前記リング部材（２０１）は、前記間隙（Ｌ）において光軸の直交面内で可動可能であり、
前記リング部材（２０１）には前記防塵シート（２０２）を固着するための曲面（２０１ａ）を有し、
前記曲面（２０１ａ）に前記防塵シート（２０２）を固着した後に形成される前記防塵シート（２０２）の曲面（２０２ａ）が前記移動枠（１０４）の外周面に接する曲面から形成されていることを特徴とする撮像装置。
【請求項２】
前記カバー部材（１０１）の先端部にはリブ（１０１ｂ）を備え、
前記リブ（１０１ｂ）は、前記防塵シート（２０２）と移動枠（１０４）の間隙に位置することを特徴とする請求項１に記載の撮像装置。
【発明の詳細な説明】
【技術分野】
【０００１】
本発明は、撮像装置に関し、特にレンズ鏡筒がカメラ本体の中に収納する構造、いわゆる沈胴式カメラに関するものである。
【背景技術】
【０００２】
従来、撮像装置のレンズ鏡筒においては撮影光学系を保持し、光軸方向に移動する移動枠と、移動枠を保護する円筒形状のカバー部材との間に形成される空隙部からゴミや埃等が侵入する為、前記空隙部に防塵シートなどの防塵手段を設けている。
【０００３】
図６は従来の防塵手段を有したカメラのレンズ鏡筒の断面図である。図６において、筒状の前カバー６０１の先端部には、キャップ部材６０２を備え、前カバー６０１、キャップ部材６０２にはそれぞれ開口部６０１ａ、開口部６０２ａを有している。
【０００４】
開口部６０１ａ内側に位置し、レンズ６０３の外周を保持している移動枠６０４はレンズ６０３の光軸方向に移動可能である。
【０００５】
レンズ６０３の対物側に、保護カバー６０５が具備され、移動枠６０４からレンズ６０３が脱落することを防止している。
【０００６】
防塵シート６０６は、開口部６０１ａの全周に固着しており、開口部６０１ａと移動枠６０４との間に形成される空隙部を隙間なく占有することで、ゴミや埃等のカメラ内部への侵入を防いでいる。
【０００７】
また、特許文献１には、前カバーの開口部に複数の段差を設け、防塵部材の一部が前記複数の段差に接触することで、移動枠が作動するときの引っかかりや、作動負荷を増すことなく防塵する撮像装置が提案されている。
【先行技術文献】
【特許文献】
【０００８】
【特許文献１】特開平８−２８６０８７号公報
【発明の概要】
【発明が解決しようとする課題】
【０００９】
しかしながら、上述の図６の従来技術においても、特許文献１に開示された従来技術においても、移動枠が前カバーの開口部に対して偏芯した場合、防塵性能が低下する可能性がある。
【００１０】
例えば、図６の従来例のように、移動枠６０４に対し前カバー６０１の開口部６０１ａが偏芯していない場合、移動枠６０４と開口部６０１ａの間隙を防塵シート６０６が隙間なく埋めることができる。しかし、移動枠６０４が前記開口部６０１ａに対し偏芯した場合、防塵シート６０６が移動枠６０４に対し、当接せず隙間を生じる。つまり、前記防塵シート６０６と移動枠６０４の隙間からゴミや埃等がカメラ内部に侵入する可能性があり、防塵性能を満たすことができない。
【００１１】
そこで、本発明の目的は、沈胴式カメラのレンズ鏡筒に備える移動枠が前カバーの開口部に対して偏芯した場合でも、防塵性能を満たすことを可能にした撮像装置を提供することである。
【課題を解決するための手段】
【００１２】
上記目的を達成するために、光軸方向に沈胴可能なレンズ鏡筒の移動枠と、前記移動枠の外周面を覆う筒状カバー部材と、前記カバー部材の先端を覆うキャップ部材と、前記カバー部材とキャップ部材の間隙に位置するリング部材と、前記リング部材に固着し、前記移動枠と当接する環状の防塵シートと、を具備する撮像装置において、前記リング部材は、前記間隙において光軸の直交面内で可動可能であり、前記リング部材には前記防塵シートを固着するための曲面を有し、前記曲面に前記防塵シートを固着した後に形成される前記防塵シートの曲面が前記移動枠の外周面に接する曲面から形成されていることを特徴とする。
【発明の効果】
【００１３】
本発明によれば、沈胴式カメラのレンズ鏡筒に備える移動枠が前カバーの開口部に対して偏芯した場合でも、防塵性能を満たすことを可能にした撮像装置を提供することができる。
【図面の簡単な説明】
【００１４】
【図１】本発明に係るカメラの外観図
【図２】本発明に係るカメラの分解斜視図
【図３】本発明に係るカメラの断面詳細図
【図４】前カバーの開口部に移動枠を挿入したときの状態図
【図５】前カバーの開口部に対し移動枠が偏芯したときの状態図
【図６】従来例の断面図
【発明を実施するための形態】
【００１５】
以下に本発明の実施例について説明する。
【実施例１】
【００１６】
以下、図１〜図５を参照して、本発明の第１の実施例によるカメラについて説明する。
【００１７】
図１は本発明に係る沈胴式カメラ１００の外観図である。カメラ１００は円筒形状を有する前カバー１０１を備え、該前カバー１０１の先端部にはキャップ部材１０２が固着されている。カメラ１００の撮像光学レンズ１０３は、移動枠１０４に固着され、不図示駆動機構により、光軸方向に移動可能である。
【００１８】
図１（ａ）〜（ｃ）は、カメラ１００の移動枠１０４が沈胴した状態図、図１（ｄ）〜（ｆ）は、カメラ１００の移動枠１０４が対物方向に繰り出した状態図である。
【００１９】
図２は、本発明に係るカメラの分解斜視図、図３は、カメラ１００の光軸中心における断面図である。図２、図３を用い、本発明の構造を説明する。
【００２０】
前カバー１０１は、移動枠１０４の外形に対し略平行な開口部１０２ａを備える。また、前カバー１０１の先端部にはリブ１０１ｂを備え、該リブ１０１ｂは、開口部１０１ａから光軸に対し略４５度傾斜し、移動枠１０４に近接する方向に延出している。
【００２１】
前カバー１０１の対物側の先端部外周には、段差部１０１ｃを有し、キャップ部材１０２の内側面は、該段差部１０１ｃに固着されている。
【００２２】
前カバー１０１先端部とカップ部材１０２の内面には空隙Ｌが設けられ、該空隙Ｌ内にリング部材２０１が配置されている。リング部材２０１は、移動枠１０４の全周を覆う環形状で形成され、リング部材２０１の移動枠１０４に隣接する面には曲面２０１ａを有する。また、リング部材２０１は、摺動リブ２０１ｂ、２０１ｃを備え、リブ２０１ｂは前カバー１０１先端部と摺接し、リブ２０１ｃはキャップ部材２０１の内面と摺接することで、リング部材２０１は空隙Ｌ内で光軸直交方向に移動可能である。リング部材２０１とキャップ部材１０２内面の間隙にはクリアランスＭが設けられており、空隙Ｌ内のリング部材２０１の移動量を規制する。
【００２３】
前記曲面２０１ａには、防塵シート２０２が両面テープで固着されており、防塵シート２０２を移動枠１０４と隙間なく摺接させることで、外部からカメラ内部へゴミや埃等が浸入することを防いでいる。弾性を備えた防塵シート２０２を用い、移動枠１０４の全周を径方向に付勢し、防塵シート２０２と移動枠１０４の密着性を上げることで、カメラ１００の防塵機能をさらに向上させることができる。
【００２４】
シート状の防塵シート２０２を曲面２０１ａに沿って固着することで、防塵シート２０２は曲面２０２ａを形成する。曲面２０２ａは移動枠１０４に接する曲面で形成されており、防塵シート２０２が移動枠１０４により防塵シートの２０２の厚さ方向に圧縮されるように設定されている。
【００２５】
つまり、防塵シート２０２を曲面２０１ａに固着している両面テープの厚さを変更するだけで、防塵シート２０２の厚さ方向の圧縮量を変更でき、防塵シート２０２と移動枠１０４の摺動抵抗を調整することができる。
【００２６】
前カバー１０１に備えるリブ１０１ｂは、曲面２０１ａから防塵シート２０２が剥離したとき、移動枠１０４に防塵シート２０２の剥離した端部が接触することを防止している。
リブ１０１ｂのもう一つの機能を、図４を用い説明する。図４は、前カバー１０１の開口部１０１ａに移動枠１０４を挿入する組み立てる途中の状態図である。前カバー１０１ａに対し、図中矢印方向に移動枠１０４を開口部１０１ａ内に挿入する状態図であり、図４（ａ）の状態から、さらに移動枠１０４を開口部１０１ａ内に挿入したのが図４（ｂ）である。開口部１０１ａに対し、移動枠１０４を挿入するときに、常時同一中心線に沿って組立作業として挿入することは困難であり、移動枠１０４が開口部１０１ａに接触しながら挿入されることもある。もし、リブ１０１ｂが無く、移動枠１０４が開口部１０１ａに接触しながら挿入された場合、移動枠１０４の先端部は防塵シート２０２の側面部２０２ｂに衝突し、防塵シート２０２を曲面２０１ａから引き剥がす可能性がある。リブ１０１ｂは、防塵シート２０２を曲面２０１ａから引き剥がさないよう防止している。
【００２７】
次に、先行例との差異である開口部１０１ａに対し、移動枠１０４が偏芯した時でも防塵機能を満たす構造に関して図５を用い説明をする。図５（ａ）は開口部１０１ａの中心軸と移動枠１０４の中心軸が同一軸線上にある時の状態図である。図５（ｂ）は図５（ａ）の状態から、移動枠１０４が開口部１０１ａに対し、同図矢印Ｆ方向に偏芯した時の状態図である。図５（ｃ）は図５（ａ）の状態から、移動枠１０４が開口部１０１ａに対し、同図矢印Ｇ方向に偏芯した時の状態図である。
【００２８】
前述のとおり、リング部材２０１は前カバー１０１の先端部とキャップ部材２０１の内面で形成される空隙Ｌ内で、光軸と直交する面で摺動可能であり、図５（ｂ）ではリング部材２０１は移動枠１０４に追従して同図Ｆ方向に移動している。同様に、図５（ｃ）ではリング部材２０１は移動枠１０４に追従して同図Ｇ方向に移動している。
【００２９】
つまり、移動枠１０４が開口部１０１ａに対し偏芯しても、移動枠１０４に対するリング部材２０１の位置は変化しないので、移動枠１０４に対する防塵シート２０２の当接状態も変化せず、移動枠１０４に対する防塵シート２０２の防塵機能の変化もない。
【００３０】
つまり、図５（ａ）〜（ｃ）では、移動枠１０４が開口部１０１ａに対し偏芯しているが、防塵機能の差異が無いことを示す。
【００３１】
上述によれば、移動枠１０４が前カバー１０１の開口部１０１ａに対して偏芯した場合でも、防塵性能を満たすことを可能にした撮像装置を提供することができる。
【００３２】
以上、本発明の好ましい実施形態について説明したが、本発明はこれらの実施形態に限定されず、その要旨の範囲内で種々の変形及び変更が可能である。
【符号の説明】
【００３３】
１００  カメラ
１０１  前カバー
１０１ａ  開口部
１０１ｂ  傾斜リブ
１０１ｃ  段差部
１０２  キャップ部材
１０２ａ  開口部
１０３  光学レンズ
１０４  移動枠
２０１  リング部材
２０１ａ  曲面
２０１ｂ  摺動リブ
２０１ｃ  摺動リブ
２０２  防塵シート
２０２ａ  曲面
Ｌ  空隙
Ｍ  クリアランス
【図１】
2015022002.tif 000003
【図２】
2015022002.tif 000004
【図３】
2015022002.tif 000005
【図４】
2015022002.tif 000006
【図５】
2015022002.tif 000007
【図６】
2015022002.tif 000008